【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
第１インク及び第２インクの組み合わせを有するインクジェット用の水性インクセットであって、
前記第１インクが、ホスホン酸基を含む官能基が粒子表面に結合している自己分散顔料を含有し、
以下に示す手順にしたがって測定される前記第１インクの再分散粘度が、５ｍＰａ・ｓ以下であり、
前記第２インクが、アニオン性染料、リチウムイオン、及びナトリウムイオンを含有し、
第２インク中のリチウムイオンとナトリウムイオンの合計濃度が、０．０５０ｍｏｌ／Ｌ以上であり、
第２インク中のリチウムイオンとナトリウムイオンの合計濃度に占める、リチウムイオンの濃度の比率が、４５％以上８５％以下であることを特徴とする水性インクセット。
［再分散粘度の測定］：第１インク１．５ｇを、温度３０℃、相対湿度１０％の環境で１５時間保存後、減少した質量分の第１インクを添加して、さらに２時間保存したものについて粘度を測定する。
【請求項２】
前記第２インク中のリチウムイオンとナトリウムイオンの合計濃度が、０．２００ｍｏｌ／Ｌ以下である請求項１に記載の水性インクセット。
【請求項３】
前記第２インク中の１価のカチオンの合計濃度が、０．４００ｍｏｌ／Ｌ以下である請求項１又は２に記載の水性インクセット。
【請求項４】
前記自己分散顔料の粒子表面に結合している前記官能基の分子量が、１，５００以下である請求項１乃至３のいずれか１項に記載の水性インクセット。
【請求項５】
前記自己分散顔料の粒子表面に結合している前記官能基の導入量が、０．０８ｍｍｏｌ／ｇ以上０．３３ｍｍｏｌ／ｇ以下である請求項１乃至４のいずれか１項に記載の水性インクセット。
【請求項６】
前記自己分散顔料の粒子表面に結合している前記官能基が、２つのホスホン酸基を含む請求項１乃至５のいずれか１項に記載の水性インクセット。
【請求項７】
前記自己分散顔料の粒子表面に結合している前記官能基のカウンターイオンが、ナトリウムイオン、カリウムイオン、及びアンモニウムイオンの少なくとも１種を含む請求項１乃至６のいずれか１項に記載の水性インクセット。
【請求項８】
前記自己分散顔料の粒子表面に結合している前記官能基が、−Ｃ６Ｈ４−ＣＯＮＨ−ＣＨ（ＰＯ３［Ｍ１］２）２、又は−Ｃ６Ｈ４−ＳＯ２−ＮＨ−Ｃ３Ｈ６−Ｃ（ＯＨ）（ＰＯ３［Ｍ１］２）２で表される構造を有する（Ｍ１は、ナトリウムイオン、カリウムイオン、又はアンモニウムイオンである）請求項１乃至５のいずれか１項に記載の水性インクセット。
【請求項９】
前記第１インク中の前記自己分散顔料の含有量（質量％）が、インク全質量を基準として、１．００質量％以上１０．００質量％以下である請求項１乃至８のいずれか１項に記載の水性インクセット。
【請求項１０】
前記第２インク中の前記アニオン性染料の含有量（質量％）が、インク全質量を基準として、１．００質量％以上６．００質量％以下である請求項１乃至９のいずれか１項に記載の水性インクセット。
【請求項１１】
前記第１インク中の前記自己分散顔料の含有量ｘ（質量％）、及び、前記第２インク中のリチウムイオンとナトリウムイオンの合計濃度Ｍ（ｍｏｌ／Ｌ）が、下記式（１）の関係を満たす請求項１乃至１０のいずれか１項に記載の水性インクセット。
ｘ／Ｍ≦６５      ・・・（１）
【請求項１２】
前記式（１）中、「ｘ／Ｍ」で表される値が１５以上である請求項１１に記載の水性インクセット。
【請求項１３】
インクをインクジェット方式の記録ヘッドの吐出口から吐出させて記録媒体に画像を記録する工程、及び、前記吐出口をキャップにより覆う工程、を有するインクジェット記録方法であって、
前記インクが、請求項１乃至１２のいずれか１項に記載の水性インクセットに含まれるインクであることを特徴とするインクジェット記録方法。
【請求項１４】
インクが内部に収容されたインク収容部、インクジェット方式の記録ヘッドの吐出口からインクを吐出させて記録媒体に画像を記録する手段、及び、前記吐出口を覆うキャップ、を具備するインクジェット記録装置であって、
前記インクが、請求項１乃至１２のいずれか１項に記載の水性インクセットに含まれるインクであることを特徴とするインクジェット記録装置。
【手続補正２】
【補正対象書類名】明細書
【補正対象項目名】００５０
【補正方法】変更
【補正の内容】
【００５０】
カーボンブラック２０ｇ、（４−（４−アミノベンゼンスルホニルアミノ）−１−ヒドロキシブタン−１，１−ジイル）ビスホスホン酸ナトリウム（処理剤）３ｍｍｏｌ、硝酸２０ｍｍｏｌ、及び純水２００ｍＬを混合した。カーボンブラックとしては、比表面積２２０ｍ２／ｇ、ＤＢＰ吸油量１０５ｍＬ／１００ｇのものを用いた。また、混合は、シルヴァーソン混合機を使用し、室温条件下、６，０００ｒｐｍで実施した。３０分後、少量の水に溶解させた２０ｍｍｏｌの亜硝酸ナトリウムをゆっくり添加した。混合によって混合物の温度は６０℃に達し、この状態で１時間反応させた。その後、水酸化ナトリウム水溶液を用いて、混合物のｐＨを１０に調整した。３０分後、純水２０ｍＬを加え、スペクトラムメンブランを用いてダイアフィルトレーションを行い、顔料の含有量が１０．０％となるようにして分散液を得た。これにより、カウンターイオンがナトリウムである（４−（４−ベンゼンスルホニルアミノ）−１−ヒドロキシブタン−１，１−ジイル）ビスホスホン酸基が顔料の粒子表面に結合した自己分散顔料が水中に分散した顔料分散液１を得た。自己分散顔料の官能基導入量は０．１５ｍｍｏｌ／ｇであった。
【手続補正３】
【補正対象書類名】明細書
【補正対象項目名】００５１
【補正方法】変更
【補正の内容】
【００５１】
（顔料分散液２）
処理剤の種類を（（４−アミノベンゾイルアミノ）−メタン−１，１−ジイル）ビスホスホン酸ナトリウム塩に変更した。このこと以外は、前述の顔料分散液１と同様にして、カウンターイオンがナトリウムである（（４−ベンゾイルアミノ）−メタン−１，１−ジイル）ビスホスホン酸基が顔料の粒子表面に結合した自己分散顔料が水中に分散した顔料分散液２を得た。自己分散顔料の官能基導入量は０．１５ｍｍｏｌ／ｇであった。
【手続補正４】
【補正対象書類名】明細書
【補正対象項目名】００５３
【補正方法】変更
【補正の内容】
【００５３】
（顔料分散液４）
イオン交換法によりカウンターイオンをナトリウムイオンからカリウムイオンに置換したこと以外は、前述の顔料分散液１と同様の操作を行った。これにより、カウンターイオンがカリウムである（４−（４−ベンゼンスルホニルアミノ）−１−ヒドロキシブタン−１，１−ジイル）ビスホスホン酸基が顔料の粒子表面に結合した自己分散顔料が水中に分散した顔料分散液４を得た。自己分散顔料の官能基導入量は０．１５ｍｍｏｌ／ｇであった。
【手続補正５】
【補正対象書類名】明細書
【補正対象項目名】００５４
【補正方法】変更
【補正の内容】
【００５４】
（顔料分散液５）
イオン交換法により、カウンターイオンをナトリウムイオンからアンモニウムイオンに置換したこと以外は、前述の顔料分散液１と同様の操作を行った。これにより、カウンターイオンがアンモニウムである（４−（４−ベンゼンスルホニルアミノ）−１−ヒドロキシブタン−１，１−ジイル）ビスホスホン酸基が顔料の粒子表面に結合した自己分散顔料が水中に分散した顔料分散液５を得た。自己分散顔料の官能基導入量は０．１５ｍｍｏｌ／ｇであった。
【手続補正６】
【補正対象書類名】明細書
【補正対象項目名】００５５
【補正方法】変更
【補正の内容】
【００５５】
（顔料分散液６）
イオン交換法により、カウンターイオンをナトリウムイオンからリチウムイオンに置換したこと以外は、前述の顔料分散液１と同様の操作を行った。これにより、カウンターイオンがリチウムである（４−（４−ベンゼンスルホニルアミノ）−１−ヒドロキシブタン−１，１−ジイル）ビスホスホン酸基が顔料の粒子表面に結合した自己分散顔料が水中に分散した顔料分散液６を得た。自己分散顔料の官能基導入量は０．１５ｍｍｏｌ／ｇであった。